(57)【要約】【課題】  本発明の目的は、表示率の小さい画面の表示状態において、無効電力を低減できるプラズマディスプレイ表示装置を提供することにある。【解決手段】  上記目的を達成するために、画面の表示時状態に合わせサステイン動作を制御するもので、光っていない領域のサステイン動作は停止するように制御し、無効電力を削減するように構成する。また、まったく画面に映像を表示していない場合は、サステイン回路の動作を停止すれば無効電力の削減を実現できるが、１画素でも表示する信号が入力されれば、サステイン回路は最高周波数で動作し、無効電力は最大となる。このような場合は、サステイン回路を多くのブロックに分解し、それぞれのサステイン回路を表示の状態に合わせて制御すればよい。【選択図】  図１
2006293181.tif 000002
【特許請求の範囲】
【請求項１】
プラズマディスプレイ表示装置において、
映像信号を表示する表示部と、
サステイン駆動を行うサステイン駆動部と、
該表示部により映像信号が表示される状態に応じて該映像信号の表示を制御するための制御信号を出力する制御信号出力部と、
制御信号出力部により出力された該制御信号により該サステイン駆動部の駆動を制御するサステイン駆動制御部とを備えたことを特徴とするプラズマディスプレイ表示装置。
【請求項２】
請求項１記載のプラズマディスプレイ表示装置において、
前記表示部により映像信号の表示率を示す表示状態信号を出力する表示状態信号出力部を備えたことを特徴とするプラズマディスプレイ表示装置。
【請求項３】
請求項１または２記載のプラズマディスプレイ表示装置において、
前記制御信号出力部は、前記表示部により表示された映像信号が部分的に表示されていない状態であることを検出した場合に前記サステイン駆動部の駆動を止めるための制御信号を出力することを特徴とするプラズマディスプレイ表示装置。
【請求項４】
請求項１から３いずかに記載のプラズマディスプレイ表示装置において、
前記表示部により映像信号のうち表示されないラインを検出する検出部を備え、
前記サステイン駆動制御部は、該検出部により検出されたライン数に基づいて前記サステイン駆動部の駆動を制御することを特徴とするプラズマディスプレイ表示装置。
【請求項５】
請求項１から４いずれかに記載のプラズマディスプレイ表示装置において、
前記サステイン駆動制御部は、前記表示部により表示される映像の各ラインごとに対してサステイン駆動部による駆動を制御することを特徴とするプラズマディスプレイ表示装置。
【請求項６】
請求項１から４いずれかに記載のプラズマディスプレイ表示装置において、
前記サステイン駆動制御部は、前記表示部により表示される映像の複数のラインに対してサステイン駆動部による駆動を制御することを特徴とするプラズマディスプレイ表示装置。
【請求項７】
請求項１から６いずれかに記載のプラズマディスプレイ表示装置において、
前記サステイン駆動部が複数備わり、該複数のサステイン駆動部がブロック単位で分割され、前記サステイン駆動制御部は、該分割されたブロック単位でサステイン駆動を制御することを特徴とするプラズマディスプレイ表示装置。
【請求項８】
映像信号を表示可能なプラズマディスプレイ表示装置において、
サステイン駆動部と、
表示される映像信号のどの部分が点灯しているかを示す表示率を検出する検出部と、
表示率に関する所定値を記憶する記憶部と、
該検出部により検出された該表示率が該記憶部により記憶された該所定値より小さい場合に該サステイン駆動部の駆動を止めるように制御するサステイン駆動制御部を備えることを特徴とするプラズマディスプレイ表示装置。
【請求項９】
請求項８記載のプラズマディスプレイ表示装置において、
前記サステイン駆動制御部は、前記所定値より小さい表示領域を検出し、当該検出した領域に対応する前記サステイン駆動部の駆動を止めるように制御することを特徴とする
プラズマディスプレイ表示装置。
【請求項１０】
２系統のサステイン回路を有するプラズマディスプレイ表示装置において、
１系統のサステイン表示装置をｎ（２以上の整数）個に分割し、１つのサステイン表示装置に複数のサステイン電極を備え、
画面の表示状態に応じて該サステイン表示装置の各々のサステイン動作のON/OFFを切り換える制御を行う制御部を備えたことを特徴とするプラズマディスプレイ表示装置。
【請求項１１】
サステイン駆動を行うサステイン駆動回路と、
映像信号が表示される状態に応じて該映像信号の表示を制御するための制御信号を出力する制御信号出力回路と、
制御信号出力回路により出力された該制御信号により該サステイン駆動回路の駆動を制御するサステイン駆動制御回路とを備え、
該サステイン駆動制御回路を介した映像信号を表示部へ出力する出力回路とを備えたことを特徴とするプラズマディスプレイ駆動回路。
【発明の詳細な説明】
【技術分野】
【０００１】
プラズマディスプレイパネルを用いたプラズマディスプレイ表示装置に係わり、特にプラズマディスプレイ表示装置の消費電力低減に関するものである。
【背景技術】
【０００２】
プラズマディスプレイパネル（Plasma display Panel：以下「ＰＤＰ」と記す）の構造は、現在主流の面放電パネルを例に取ると、対をなす２本1組のサステイン電極が比誘電率７〜１２程度の大きなガラス基板上に平行に配置され、ガラスを成分とする誘電体で被覆された構造となっている。発光は前記２本1組のサステイン電極に交互に矩形波の高電圧（サステインパルス）を印加して、セル内に封入されたネオン（Ｎｅ），キセノン（Ｘｅ）などのガス中で放電を発生させ、紫外線を発生させることでセル内に塗布した蛍光体からの可視光で映像を表示するものである。
【０００３】
このＰＤＰは、自発光型であるため、点灯する画素数が増大するにつれ（すなわち表示率が大きくなるにつれ）、消費電力も増大する。そこで、ＰＤＰを用いた表示装置（以下、「ＰＤＰ表示装置」と称する）は、ＣＲＴと同様に、消費電力を低減させる機能を有している。
【０００４】
消費電力を低減する技術には、入力映像信号のＡＰＬ（Average Picture Level）や表示率に応じてサステインパルス数を変える技術があり、例えば特許文献１，特許文献２などに記載されている。
【０００５】
また、上記したように、ＰＤＰはサステイン電極が比誘電率７〜１２程度の大きなガラス基板上に平行に配置され、誘電体で被覆された構造となっているので、駆動回路側から見た負荷は容量性となり、この容量（コンデンサ）を充放電するための電力（無効電力）が生じる。この無効電力を回収して消費電力を低減する技術は、例えば特許文献３に記載されている。
【０００６】
【特許文献１】特開平９−２４４５７５号公報
【特許文献２】特開２００３−２９６９８号公報
【特許文献３】特公平７−１０９５４２号公報
【発明の開示】
【発明が解決しようとする課題】
【０００７】
特許文献１，２は、画面の表示率とサステイン周波数（パルス数）との関係から、消費電力や画面輝度を制御する技術について述べているものである。
【０００８】
これらの技術に基づく、画面の表示状態に対する消費電力とサステイン周波数，無効電力の関係について図３，図４を用いて説明する。
図３は、画面にウインドウパターンを表示した表示状態を示したものである。図３に示す表示画面領域１３において、白で発光している点灯部分１３の面積（すなわち表示率）を変えながら、ＰＤＰ表示装置の消費電力、サステイン周波数、無効電力などを測定する。そして、その結果を模式的に示したものが図４である。なお、ここでいう表示率とは、点灯部分１３の面積の表示画面領域１３（全画面）に対する比率である。
図４は、横軸に画面の表示状態を示す表示率をとり、図紙面左側の縦軸にサステイン周波数（実線）を、図紙面右側の縦軸に表示装置の消費電力（実線）と無効電力（点線）を取って関係を示したものである。
【０００９】
図４において、１５はサステイン周波数特性、１６は表示装置の消費電力特性、１７は無効電力の特性である。表示率が小さい場合には、表示装置の消費電力は小さく、表示率の増大とともに増加するが、表示装置の消費電力が所定の閾値電力を越えるとサステイン周波数が所定の一定値から次第に低下して表示装置の消費電力が一定に保持される。
【００１０】
図４の無効電力の特性１７から明らかなように、表示率が小さい場合、表示装置の消費電力は小さいが、消費電力の多くは無効電力が占め、表示とは無関係にサステイン回路が動作している限り消費している。
【００１１】
この無効電力は、既に述べたように、駆動回路側から見たパネルの負荷が容量性であるため生じるもので、Ｐ＝ＣＶ2ｆ…（数式１）で示される電力（P）が必要となる。
但し、Ｃ；駆動回路に接続される全容量値（パネル電極間容量、回路の浮遊容量ほか）、Ｖ；駆動電圧値、ｆ；サステイン周波数である。
【００１２】
容量性負荷の場合、容量への充放電回路の中に抵抗分が存在しなければ実質的な電力消費はないが、現実には回路抵抗（駆動素子の抵抗も含めて）をはじめ、パネルの電極抵抗もあり、例えば特許文献３などの技術により電力回収を行っても、現実的には２０〜３０％の電力は消費されることになる。この損失電力を図示したのが図４の無効電力である。
【００１３】
図４から明らかなように、表示率がゼロ（真っ暗な画面）や表示率が少ない場合でも、無効電力のために消費電力が大きい。この表示率の小さい領域における無効電力の低減については、上記した特許文献では一切考慮されていない。
一方、パネルの効率向上の有力な手段として、放電ガスの１成分であるＸｅの分圧比を増加させる方法があり、最近の傾向となりつつある。すなわち、Ｘｅ分圧を上げることにより、放電で発生する紫外線の波長が長くなり、蛍光体による可視光への変換効率が増加することや、発生した紫外線の（自己）吸収が少なくなるなど、紫外線利用効率が向上することによりパネル効率の向上が実現できる。
【００１４】
しかしながら、Ｘｅ分圧を上げることにより、放電開始電圧も上昇し、高い駆動電圧が必要となる。これにともない、駆動電圧が上昇し、無効電力も増大することになる。
【００１５】
さらに、高画質化のために、輝度の増加や階調の増加を図るため、サステイン周波数も増加させる方向にある。サステイン周波数を増加させた場合には、数式１から明白なように、無効電力が増加する。
【００１６】
このように、諸々の事情により、無効電力が増大する傾向にあり、無効電力の低減がますます重要な課題となりつつある。
【００１７】
本発明は、上記した実情に鑑みてなされたもので、その目的は、表示率の小さい画面の表示状態において、無効電力を低減できるプラズマディスプレイ表示装置を提供することにある。
【課題を解決するための手段】
【００１８】
上記課題を解決するために、画面の表示時状態に合わせサステイン動作を切換制御するもので、光っていない領域のサステイン動作は停止するように制御し、無効電力を削減するように構成する。また、まったく画面に映像を表示していない場合は、サステイン回路の動作を停止すれば無効電力の削減を実現できるが、１画素でも表示する信号が入力されれば、サステイン回路は最高周波数で動作し、無効電力は最大となる。このような場合は、サステイン回路を多くのブロック（１ラインごとに独立するのが好ましい）に分解し、それぞれのサステイン回路を表示の状態に合わせて制御すればよい。
【発明の効果】
【００１９】
本発明によれば、表示状態に合わせてサステイン放電の動作を制御できるため、無効電力による消費電力を低減できる。
【発明を実施するための最良の形態】
【００２０】
以下に、本発明の実施の形態を説明する。
【実施例１】
【００２１】
ＰＤＰは信号にデジタル処理を施して処理されるものであり、画面上のどの部分で点灯するかが正確に把握できる。この信号をベースに、表示率の小さい画面の表示状態の場合非表示部分に対応するサステイン電極のサステイン放電の駆動を停止すれば、無効電力の低減が可能になる。なお、表示率の小さい画面の表示状態であるか否かは、例えば、表示率が予めメモリ等に記憶された所定値より以下の値であるかを判定する手段を備えるようにすれば実現できる。
【００２２】
本実施例は上述したような点を踏まえて想定されたものである。以下、本実施例について図を用いて詳細に説明する。図面において同一符号・記号は同一のものを意味するものとし、重複した説明は省略するものとする。
【００２３】
図１は、第１の実施例を示すＰＤＰ表示装置の概略構成図である。図１では、便宜上画像処理部分を省略して、本実施例に係わるＰＤＰを駆動する周辺要素のみ図示している。
【００２４】
図１において、１はＰＤＰを示し、２はＹサステイン（スキャン）電極３とＸサステイン電極４を配置したＰＤＰ１の前面板を示す。ＰＤＰ表示装置としては、前面板２を通して発光した光を見ることになる。ＸおよびＹサステイン電極は、例えばガラス基板である前面板２の内面側に銀や銅などの金属電極とＩＴＯなどの透明電極がストライプ状に積層されて形成されたもので、それらの電極を覆うように誘電体（図示せず、ガラスを成分としている）が配置されている。
【００２５】
５はＸサステイン電極４を駆動するＸサステイン駆動回路を示し、６はＹサステイン電極３側からサステイン放電の駆動を行うための駆動信号を発生させるＹサステインパルス発生回路である。７は、アドレス時にＹサステイン電極３を走査（スキャン）するスキャン回路と、サステイン放電時にＹサステイン駆動信号発生回路６から入力された駆動信号を基にスキャン回路を介してＹサステイン電極３に高電圧のパルス（サステインパルス）を印加してサステイン放電を生じさせるＹサステイン駆動回路を兼用した駆動回路を示す（以下、説明の都合上「Ｙサステイン回路」と称する）。Ｙサステイン回路７はＹサステイン電極３の総数と同じ数だけ設けられており、各Ｙサステイン回路７はそれぞれ各Ｙサステイン電極３を１対１に駆動できるように構成されている。
なお、スキャン動作は、サステイン動作時とは別の期間（アドレス期間）に行われる。スキャンパルス（図示せず）は、図紙面の一番上部のＹサステイン回路７に入力されれば、シフトレジスタ形式で順次スキャンパルスが下部のＹサステイン回路７に転送されるように構成されているため、それぞれのＹサステイン回路７に、個別にスキャンパルスを挿入する必要はない。
８は表示画面でライン毎に非表示であるか否か（以下、簡略化のため、「画面の表示状態」と称する）を検出し、その検出結果を示す（例えば非表示のラインを示す）信号（以下、「画面表示状態信号」と記す）を出力する画面表示状態検出手段であり、９は画面表示状態検出手段８からの画面表示状態信号に基づき、非表示のラインに対応するＹサステイン回路７の動作を制御するための制御信号（例えば、動作のOFFを示す信号）を発生させるサステイン制御回路である。１０はサステイン制御回路９が各Ｙサステイン回路７を制御するための制御線である。
【００２６】
ＰＤＰは、通常（各ラインに非点灯個所がない場合）、サステイン期間では、Ｙサステイン駆動信号発生回路６から各Ｙサステイン回路７にサステイン駆動信号が供給され、Ｙサステイン回路７側から駆動されてＹサステイン電極３とＸサステイン電極４との間で放電が生じ、次のサイクルでは、Ｘサステイン駆動回路５側から駆動されて、Ｘサステイン電極４とＹサステイン電極３との間で放電が生じる。以下同様にして交互にサステイン放電が所定回数繰り返され、映像表示がなされる。この場合、非表示ラインがないので、サステイン制御回路９は全てのＹサステイン回路７が動作するように制御するので、サステイン動作（色調や輝度等の各画素の表示を維持するための維持放電動作）としては、従来のやり方とほぼ同様である。
【００２７】
次に、図１，図３，図４を用いて、非表示ラインがある場合の本実施例の動作を説明する。画面に表示のない状態、すなわち全黒の状態では、画面上に発光部分がないため、サステイン動作を完全に停止してもＰＤＰ表示装置にとっては動作上問題ない。その結果、無効電力はほぼゼロに近くなり、消費電力の大幅な削減が実現できる。しかしながら、実際の使用状態では、このような映像シーンは稀である。    
一方、図３に示したように、画面の表示率が小さく、画面上のわずかな部分で点灯している場合は、従来技術においては非効率的な動作をしていた。すなわち、表示面積が小さく、その時の表示輝度が表示装置のピーク輝度を表示するような場合は、無効電力の損失は最大となり、電力効率は悪い。ピーク輝度を表示するために、サステイン回路は最大の周波数で動作しているために、前述の数式１によれば、無効電力は最大となっている。
このような画面の表示状態の場合、画面の非表示領域ではサステインパルスが表示領域と同じように最大の周波数で動作しており、画面表示状態検出手段８で画面の表示状態を判別し、画面表示状態信号に基づいて、サステイン制御回路９により表示画面で多くの領域を占める非表示領域でのＹサステイン回路７の動作を停止すれば、すなわちサステインパルスの出力供給を停止すれば無効電力を大幅に削減できる。
【００２８】
つまり、本実施例では、各Ｙサステイン回路７がそれぞれ各Ｙサステイン電極３を１対１に駆動できるように構成されているので、１画面の映像の各ラインに対応してＹサステイン回路７の制御が可能であり、非表示領域のラインに合わせてサステインパルスの供給を停止でき、無効電力を低減できる。
【００２９】
ＰＤＰ表示装置の場合、表示輝度はサステイン周波数に比例する。表示面積が小さな場合でピーク輝度を出すような場合は、電源の負担が少ないためにサステイン周波数は最大となり、この状態が電力を供給する電源の能力が許す限り持続する。一般のテレビセットの場合は、表示率が３０％程度のところまでサステインの最大周波数で駆動するものもある。
テレビセットの場合、電源の電力供給能力と消費電力の関係もあり、画面の表示面積が多くなるにつれて、サステイン周波数、すなわち、画面輝度を制限し消費電力を抑える機能を有する。この状態を図４に示す。すなわち、サステイン周波数の低下とともに無効電力も低減する。
図４から明らかのように、表示率が小さい状態で非表示領域でのＹサステイン回路７の動作を停止すれば、無効電力の削減効果が大きくなる。
【００３０】
以上はピーク（最大）輝度を表示する場合について述べたが、以下、低輝度の場合の動作について説明する。なお、無効電力の低減動作そのものはピーク輝度の場合に基本的に同じである。
【００３１】
具体的に説明を始める前に、まず、ＰＤＰ表示装置の画面の形成方法について簡単に説明する。ＰＤＰ表示装置の点灯は、よく知られているように、１フィールドが輝度重みを有する複数のサブフィールドに分割された形で画面の階調が表現される。この状態を図５に示す。
【００３２】
図５において、１８はリセット・アドレス期間を示す。１９はサステイン期間を示す。２０はサブフィールドを示し、テレビの規格である１フィールドをいくつかのサブフィールドに分割し、１枚の画像を構成する。サブフィールドは、それぞれのセルの放電特性をそろえるリセット部分と、どのセルを点灯させるか（あるいは消去するか）を決めるアドレス部分とからなるリセット・アドレス期間と表示に関するサステイン期間から構成される。
【００３３】
一般には、サブフィールドの数は１０〜１２個で構成されるが、サブフィールドの数は画面の表示状態でも変化させるような制御を行っているものもある。画面の階調の滑らかさはサブフィールドの数に大きく影響するので、階調の数を重視する表示状態の場合は、サブフィールドの数を増加させる。一方、ピーク輝度を出したい場合は、輝度はサステインパルスの数に比例するため、リセット・アドレス期間を節約しサステインパルスを挿入する期間に当てるために、サブフィールド数を少なくし、サステインパルスの数を増加させる制御を行う手段を用いているものもある。
【００３４】
画面輝度が小さい場合、サステインパルス数は輝度に応じて少なくなるが、階調の滑らかさを実現するために、サブフィールドの数を最大にする。すなわち、非点灯状態の領域があっても、特定のサブフィールドにおいて、画面の一部で光っていれば対応する必要があるため、階調の滑らかさを出すためには省略できないサブフィールドも存在する。この時、サブフィールドごとに、非点灯領域でのＹサステイン回路７の動作を停止させることにより、無効電力の削減は達成できるため、本実施例の効果は発揮できる。なお、特に説明してないが、ピーク輝度を表示する場合であっても、各Ｙサステイン回路７の動作停止は、サブフィールド毎に、非表示ラインに対応させてなされることはいうまでもない。
【００３５】
以上述べた実施例では、画面の非表示領域において、Ｙサステイン回路７の動作をオフするように制御できるが、Ｘサステイン駆動回路５の動作を制御することができないので、無効電力低減効果が半減する。
【００３６】
そこで、Ｘサステイン駆動回路側を、Ｘサステインパルス発生回路と、Ｘサステイン電極４の総数と同じ数だけ設けられた、各Ｘサステイン電極４を１対１に駆動できるＸサステイン回路とで構成し、サステイン制御回路９により該Ｘサステイン回路の動作をライン毎にオフするように制御してもよい。このように構成すれば、より効果的に、無効電力を低減できることはいうまでもない。
【００３７】
本実施例によれば、画面の表示状態に応じて、無効電力で生じる損失電力を低減できるので、長期間に渡ってＰＤＰ表示装置の視聴を楽しむ場合、平均消費電力の低減ができ、所謂省エネ機器としての有用性も高いといえる。
【００３８】
なお、本実施例では、ＡＣ駆動型のＰＤＰを用いて説明したが、これに限定されるものではなく、インターレース方式の所謂アリス方式のＰＤＰにも適用できることはいうまでもない。
【実施例２】
【００３９】
以下、第２の実施例について、図２を用いて説明する。実施例１では、図１に示すように、Ｙサステイン回路７がそれぞれのラインで独立している場合について説明したが、本実施例は、図２に示すような回路構成を想定している。つまり、ＰＤＰ１を挟んで、Ｙサステイン電極側にＹサステイン駆動回路とスキャン回路を、そしてＸサステイン電極側にＸサステイン駆動回路を配置し、Ｙサステイン電極３を一つのＹサステイン駆動回路によってスキャン回路を介して一斉に駆動し、Ｘサステイン電極４を一つのＸサステイン駆動回路５によって駆動する回路構成で、言い換えればＸ，Ｙサステイン駆動回路とも等価的にライン(電極)に対し共通に設置されている形態で、Ｙサステイン側を複数ブロックに分割し、各ブロック単位でサステイン動作を制御するようにしたものである。
【００４０】
図２において、１１a，１１b，…１１n（以下、任意のＹサステイン駆動回路を指すのに添え字ｉを付して示す） は複数に分割された各Ｙサステイン駆動回路を示す。現在のＰＤＰ表示装置では、一般に、Ｙサステイン駆動回路は１つか２つで構成されているが、本実施例では、ｎ個で構成している（但し、ｎは２以上で、サステイン電極対数より小さい）。これにともない部品点数は増加するが、各サステイン駆動回路の供給電力は小さくてすむため、小型化・低コスト化が図れる。１２はスキャン回路で、現在の一般的な回路と同じである。各Ｙサステイン駆動回路１１ｉはスキャン回路１２を介して複数本のＹサステイン電極３を駆動している。
実施例１では、Ｙサステイン駆動回路は、各ラインに対し独立して１個ずつ挿入されていたが、本実施例では数ラインを纏めて１つのＹサステイン駆動回路１１ｉで駆動する。動作原理および動作状態は図１と同じであるため異なる部分のみ簡単に説明する。なお、本実施例で、分割数ｎをサステイン電極数と同じにすれば、第１の実施例に等しくなる。
本実施例においては、サステイン制御回路９は、画面表示状態検出手段８による画面の表示状態の判別結果に応じて、対応する各Ｙサステイン駆動回路１１ｉをそれぞれ制御し、サステイン動作を行うかどうかを決定する。このため、画面の表示状態に応じた制御の精度は実施例１に比べると劣るが、無効電力による損失を低減することができる。これにともない、一般にＩＣで構成されるスキャン回路１２の負担（熱損失）は軽減されるため、実用性は高いとも言える。
上記したように、本実施例においては、Ｙサステイン駆動回路１１を複数に分割したが、これに限定されるものではなく、Ｙ側を１つか２つのサステイン駆動回路として、Ｘサステイン駆動回路をｎ個に分割してもよい。Ｘサステイン駆動回路の複数分割においても、機能は同じであるため、説明を省略する。勿論、Ｘ，Ｙサステイン駆動回路ともに複数に分割してもよいことはいうまでもない。このようにすれば、片側の場合より、無効電力による損失をさらに低減することができる。
【００４１】
上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題が解決でき、発明の効果の欄で述べられている効果が得られる場合には、この構成要件が削除された構成が発明となるのは言うまでもない。
【００４２】
また、通常、プラズマディスプレイパネルの外側にサステイン駆動回路等の画像処理手段が構成されているが、上記実施例で示された機能を実現するための構成として、プラズマディスプレイパネル内部に閉じる構成で実現してもよい。
【産業上の利用可能性】
【００４３】
一般のテレビ、表示端末にも応用できるため、利用の可能性は高い。また、従来無駄に使われてきた無効電力が削減されるため、省エネ機器としての有用性も高い。
【図面の簡単な説明】
【００４４】
【図１】第１の実施例を示すＰＤＰ表示装置の概略構成図。
【図２】第２の実施例を示すＰＤＰ表示装置の概略構成図。
【図３】画面の表示状態を示す図。
【図４】画面の表示状態とサステイン周波数、表示装置の消費電力、無効電力の関係を示す図。
【図５】サブフィールド表示状態を示す図
【符号の説明】
【００４５】
１  ＰＤＰ、２  前面板、３  Ｙサステイン電極、４  Ｘサステイン電極、５  Ｘサステイン駆動回路、６  Ｙサステイン駆動信号発生回路、７  Ｙサステイン回路、８  画面表示状態検出手段、９  サステイン制御回路、１０  制御線、１１  Ｙサステイン駆動回路、１２  スキャン回路、１３  表示画面領域、１４  点灯部分、１５  サステイン周波数特性、１６  表示装置の消費電力特性、１７  無効電力特性、１８  リセット・アドレス期間、１９  サステイン期間、２０  サブフィールド、
【図１】
2006293181.tif 000003
【図２】
2006293181.tif 000004
【図３】
2006293181.tif 000005
【図４】
2006293181.tif 000006
【図５】
2006293181.tif 000007